(57)【要約】      （修正有）【課題】竹本来の美感を損ねる事がなく、暗い中での使用時であっても、照明器具自体の意匠を視認可能であり、かつ、携帯可能な構造を有する照明器具を提供する。【解決手段】把持部を有する棒状円筒形のハウジングと、ハウジング内部の発光装置と、ハウジング内部又は外部の発光装置に電流を供給する電源装置と、を含む携帯用照明器具であって、発光装置は、電流の供給により発光する発光体と、発光体が取り付けられる基盤と、照射する光をハウジング外に照射する投光部２４を含み、ハウジングは側面の少なくとも一部が節部１１１〜１１３を有する天然竹から構成され、天然竹から構成される部分の一部を切り欠いた切欠部を形成し、切欠部に投光部の少なくとも一部が露出している事を特徴とする。【選択図】図１
0003216033.tif 000002
【実用新案登録請求の範囲】
【請求項１】
棒状円筒形のハウジングと、該ハウジング内部の発光装置と、前記ハウジング内部又は外部の前記発光装置に電流を供給する電源装置と、を含む携帯用照明器具であって、
前記発光装置は、電流の供給により発光する発光体と、該発光体が取り付けられる基盤と、照射する光をハウジング外に照射する投光部を含み、
前記ハウジングは側面の少なくとも一部が天然竹から構成され、該天然竹から構成される部分の一部を切り欠いた切欠部を形成し、該切欠部には前記投光部の少なくとも一部が露出している事を特徴とする携帯用照明器具。
【請求項２】
前記ハウジングの一部に自然竹の節からなる節部を含む事を特徴とする請求項１記載の携帯用照明器具。
【請求項３】
前記ハウジングは、第一節部及び第二節部からなる少なくとも２つ以上の前記節部を含み、前記投光部を第一節部及び第二節部の間に設けた事を特徴とする請求項２記載の携帯用照明器具。
【請求項４】
前記投光部が半円筒形である事を特徴とする請求項１〜３記載の携帯用照明器具。
【請求項５】
前記投光部の少なくとも一部に、透光性意匠部材を設けた事を特徴とする請求項１〜４記載の携帯用照明器具。
【請求項６】
前記透光性意匠部材が、和紙である事を特徴とする請求項５記載の携帯用照明器具。
【請求項７】
前記透光性意匠部材の外側に、透光性保護フィルムを着脱可能に巻きつけた事を特徴とする請求項５〜７記載の携帯用照明器具。
【請求項８】
前記発光体がＬＥＤアレイである事を特徴とする請求項１〜７記載の携帯用照明器具。
【請求項９】
前記発光装置は、前記基盤を収容する円筒状または半円筒状の円筒管を含み、該円筒管は前記投光部を構成し、かつ、少なくとも投光部を構成する部分が透明又は半透明である事を特徴とする請求項１〜８記載の携帯用照明器具。
【請求項１０】
前記発光装置に、光の波長を調光する調光部材を設けた事を特徴とする請求項１〜９記載の携帯用照明器具。
【請求項１１】
請求項１〜１０記載の携帯用照明器具からなる、又は、請求項１〜９記載の携帯用照明器具を有する事を特徴とする発光玩具。
【請求項１２】
請求項１〜１０記載の携帯用照明器具からなる、又は、請求項１〜９記載の携帯用照明器具を有する事を特徴とする誘導灯。
【考案の詳細な説明】
【技術分野】
【０００１】
本考案は、携帯用照明器具、発光玩具及び誘導灯に係わり、更に詳しくは天然竹をハウジングに用いた携帯用照明器具、誘導灯及び発光玩具に関するものである。
【背景技術】
【０００２】
従来から、温泉旅館や料亭等、日本古来の伝統文化を意識した建築物においては、和のイメージを損なわないために、電化製品も和の美感を有するものが用いられてきた。例えば、所謂ペンダントライトやシーリングライトと呼ばれる照明器具においては、シェードの部分を天然の竹や木を材料とした網カゴ形状にする事で、和室に適した意匠を表現している。
【０００３】
しかし、これら網カゴ形状のシェードは、竹細工という点では和の美感を有しているものの、加工度が高く、天然の竹そのものが有する意匠の美感を利用しているとは言えない。また、和風意匠の建築物内、庭及び玄関に設置するものが殆どであり、例えば温泉旅館の利用者が、散策する時にも携帯できるものではなかった。そのため、温泉旅館利用者が夜の旅館街を散策する場合や、花火を見るために外出する場合は、既存の懐中電灯を持ち歩く必要があり、折角の和の美感や雰囲気が失われ、温泉利用者や観光客の気分を害してしまう可能性があった。特に近年の温泉利用者や観光客は、インターネット上で、観光客自身の現状を写真とともに公開する事が多い。この場合、浴衣や旅館、神社仏閣等の観光地等、観光客自身を含めた写真全体のコーディネートや雰囲気が、写真映えという観点で重要となる。従って、既存の懐中電灯を手にした状態では、懐中電灯が和の意匠でないために違和感が生じ、全体のコーディネートや雰囲気が崩れてしまい、写真映えしないという点で問題となる。
【０００４】
一方、下記特許文献１では、「竹筒の両端が開口し、竹筒内に電球と電源モジュールが内蔵した竹製懐中電灯」が提案されている。また、下記特許文献２及び３には、天然竹に窓部等を設け、内部に電球等を設けた照明器具が提案されている。
【先行技術文献】
【特許文献】
【０００５】
【特許文献１】特開２０１５−９０８６１号公報
【特許文献２】実公平７−３５２０６号公報
【特許文献３】特開平１１−１０２６０４号公報
【考案の概要】
【考案が解決しようとする課題】
【０００６】
しかしながら、引用文献１の竹製懐中電灯では、加工の段階で竹の節部を残しておらず、折角の竹本来が有する美感を活かしているとは言えない。また、電球が竹製懐中電灯外観も照らすものではなく、電球を向けた方向にしか光が照らされないため、暗い夜道では折角の竹製懐中電灯が有する美感の意匠を視認する事ができない。また、引用文献２〜３の照明器具では、竹そのものも照らす構造であるが、これらは地面に対して直立固定して設置するものであるため、携帯用に適した構造ではない。
【０００７】
そこで、本考案が前述の状況に鑑み、解決しようとするところは、竹本来の美感を損ねる事がなく、暗い中での使用時であっても、照明器具自体の意匠を視認可能であり、かつ、携帯可能な構造を有する照明器具を提供する点にある。
【課題を解決するための手段】
【０００８】
本考案は、前述の課題解決のために、以下に構成する携帯用照明器具、発光玩具及び誘導灯を提供する。
【０００９】
（１）
把持部を有する棒状円筒形のハウジングと、該ハウジング内部の発光装置と、前記ハウジング内部又は外部の前記発光装置に電流を供給する電源装置と、を含む携帯用照明器具であって、
前記発光装置は、電流の供給により発光する発光体と、該発光体が取り付けられる基盤と、照射する光をハウジング外に照射する投光部を含み、
前記ハウジングは側面の少なくとも一部が天然竹から構成され、該天然竹から構成される部分の一部を切り欠いた切欠部を形成し、該切欠部には前記投光部の少なくとも一部が露出している事を特徴とする携帯用照明器具。
【００１０】
（２）
前記ハウジングの一部に自然竹の節からなる節部を含む事を特徴とする（１）記載の携帯用照明器具。
【００１１】
（３）
前記ハウジングは、第一節部及び第二節部からなる少なくとも２つ以上の前記節部を含み、前記投光部を第一節部及び第二節部の間に設けた事を特徴とする（２）記載の携帯用照明器具。
【００１２】
（４）
前記投光部が半円筒形である事を特徴とする（１）〜（３）記載の携帯用照明器具。
【００１３】
（５）
前記投光部の少なくとも一部に、透光性意匠部材を設けた事を特徴とする（１）〜（４）記載の携帯用照明器具。
【００１４】
（６）
【００１５】
前記透光性意匠部材が、和紙である事を特徴とする（５）記載の携帯用照明器具。
【００１６】
（７）
前記透光性意匠部材の外側に、透光性保護フィルムを着脱可能に巻きつけた事を特徴とする（５）〜（６）記載の携帯用照明器具。
【００１７】
（８）
前記発光体がＬＥＤアレイである事を特徴とする請求項（１）〜（７）記載の携帯用照明器具。
【００１８】
（９）
前記発光装置は、前記基盤を収容する円筒状または半円筒状の円筒管を含み、該円筒管は前記投光部を構成し、かつ、少なくとも投光部を構成する部分が透明又は半透明である事を特徴とする（１）〜（８）記載の携帯用照明器具。
【００１９】
（１０）
前記発光装置に、光の波長を調光する調光部材を設けた事を特徴とする（１）〜（９）記載の携帯用照明器具。
【００２０】
（１１）
（１）〜（１０）記載の携帯用照明器具からなる、又は、（１）〜（９）記載の携帯用照明器具を有する事を特徴とする発光玩具。
【００２１】
（１２）
（１）〜（１０）記載の携帯用照明器具からなる、又は、（１）〜（９）記載の携帯用照明器具を有する事を特徴とする誘導灯。
【考案の効果】
【００２２】
以上にしてなる本考案の照明器具によれば、以下に示す効果を奏する。
【００２３】
（１）の構成によれば、竹本来の美感を損ねる事がなく、暗い中での使用時であっても、照明器具自体の意匠を視認可能であり、かつ、携帯可能な構造を有する照明器具を提供できる。
【００２４】
（２）の構成によれば、節部によって竹が本来有する美感を利用する事ができ、又節部自体のリブ効果により、ハウジングの機械強度を高める事ができる。
【００２５】
（３）の構成によれば、節部の間に投光部が存在する事になり、投光部の位置を一見して視認する事が可能であるとともに、強度的に劣る投光部周辺を節部自体のリブ効果で補強する事ができる。
【００２６】
（４）の構成によれば、投光部を最小限にでき、ハウジング部分を多く残し、天然竹部分を多く設ける事ができるため、天然竹自体の美感を損なわず利用できる。
【００２７】
（５）の構成によれば、投光部に絵柄等の意匠を表す事が可能であり、点灯時の美感をさらに向上させる事ができる。
【００２８】
（６）の構成によれば、和紙を透過した淡い光によって、間接照明のような演出を表現できる。
【００２９】
（７）の構成によれば、透光性保護フィルムによって透光性意匠部材を保護するとともに、透光性保護フィルムを着脱する事で、透光性意匠部材を用途に応じて交換する事ができる。
【００３０】
（８）の構成によれば、発光体を長寿命化させ、消費電力を抑える事が出来る。
【００３１】
（９）の構成によれば、発光装置をハウジング内に効率よく組みつけられる。
【００３２】
（１０）の構成によれば、紫外線等の特定波長をカットした照射が可能となる。これにより、例えば。紫外線をカットした場合、夏の夜の散策中に本照明器具を使用する場合であっても、投光部に蚊等の害虫が集まりにくくする事が可能である。
【００３３】
（１１）の構成によれば、和の雰囲気を損なう事なく、交通整備等の誘導に用いる事ができる。
【００３４】
（１２）の構成によれば、把持部を刀剣の柄、投光部を刃と見立てた刀剣を模した玩具として用いる事ができる。
【図面の簡単な説明】
【００３５】
【図１】本考案実施形態の照明器具の正面側斜視図である。
【図２】本考案実施形態の照明器具の背面側の斜視図である。
【図３】同じく照明器具の正面図及び側面図である。
【図４】同じく照明器具の一部省略した正面側の分解斜視図である。
【図５】同じく照明器具の一部省略した背面側の分解斜視図である。
【図６】同じく正面図（ａ）の中央断面図である。
【考案を実施するための形態】
【００３６】
次に、添付図面に示した実施形態に基づき、本考案を更に詳細に説明する。図１は本考案に係る実施形態の照明器具を示す正面側の斜視図であり、図２は背面側の斜視図である。図３は本考案に係る実施形態の照明器具を示す正面図（ａ）及び側面図（ｂ）である。図４及び図５は、その実施形態を構成する各部品の組み付けを示す、正面側の分解斜視図及び背面側の分解斜視図である。図６は図３に示す正面図の中央断面図である。
【００３７】
図１、図２及び図３に示す本実施形態の照明器具４は、持ち歩いて使用できる携帯型照明器具であり、ハウジング１を天然竹で構成しており、ハウジング１の側面に光を照射する投光部２４と、光の照射のＯＮ及びＯＦＦを切り換える電源スイッチ３２を備えている。また、図４及び図５の分解斜視図に示すように、ハウジング１内部には、内部に、発光装置２と電源装置３を設けている。以下、図４〜図６をもって詳細な構造を説明する。
【００３８】
図４に示すように、発光装置２は、基板２１に複数の発光体２２として、表面実装型の白色ＬＥＤ素子２２を直列に配置した光源アレイ２２１を取り付け、この基板２１を透明のポリカーボネート製円筒管２３に収納している。この円筒管２３の側面内側には、管延長方向に延びる２本の平行リブ２３１を二組設けている。並行リブは基板の厚みよりやや大きい間隔で設けられており、基板２１はこの平行リブ２３１の間に嵌入される事で固定される。このように、基板２１及び発光体２２を効率良く収納できる円筒管２３を用いる事で、本実施形態に係る照明器具４を容易に組み付ける事ができ、生産効率が向上する。
【００３９】
また、天然の竹を幅方向に切断する事で、棒状円筒形のハウジング１が形成される。本実施形態では竹の節からなる節部１１を三つ有するように天然竹が切断され、第一節部１１１、第二節部１１２、第３節部１１３を形成している。この第一節部１１１及び第二節部１１２間のハウジング１の側面に、ハウジング１を円筒形に切り欠いた切欠部１２を設けている。発光装置２をハウジング１の第一節部１１１と第二節部間の内部に収納すると、切欠き部１２から発光装置２の円筒管２３が半円筒形に露出する事になる。これにより、円筒管２３が半円筒形に露出した部分が投光部２４となり、使用時には、この投光部２４より光が照射される。
【００４０】
さらに本実施形態には、第二節部１１２と第三節部１１３の間を、使用者が手で把持する把持部１３としている。このように、投光部２４と把持部１３を節部１１によって区分けする事で、使用者は投光部及び把持部の位置を一見して視認する事が可能である。さらに、節部１１自体のリブ効果により、ハウジング１の曲げ強度や圧縮強度といった機械的強度を向上させる事ができる。特に投光部２４周辺のハウジング１の側面は割れやすく強度的に劣るため、節部１１によるリブ効果は高くなる。
【００４１】
本実施形態の円筒管２３が露出し、投光部２４を構成する部分には、透光性意匠部材２５として、和柄を施した透光性の和紙２５を巻き付けている。これにより、和紙２５を透過した光が淡い光となり、和の雰囲気に適合した温かい光を照射する事が可能となる。さらにこの温かな光は、ハウジング１が有する天然竹由来の意匠を照らす事になり、使用時の和の雰囲気を一層向上させる。また、和紙２５に和柄を施す事で、光照射時の投光部２４に和柄が浮かび上がり、和の雰囲気がさらに向上する。また、本実施形態では、和紙２５の外層に透光性保護フィルム２６を巻き付けている。この透光性保護フィルム２６は、やや剛性を有しつつ、可撓性のある、透明なPET樹脂から構成される。また、透光性保護フィルム２６は切欠部１２よりやや大きい大きさで形成されている。この透光性保護フィルム２６は、和紙２５を保護するように巻きついているため、和紙２５に傷が付く事や、和紙５に汚れが付着する事を防ぐ。
【００４２】
次に、透光性保護フィルム２６を切欠部１２に固定する方法を説明する。透光性保護フィルム２６を半円筒形に撓ませながら、切欠部１２の外方より挿入する事で和紙２５に積層し、切欠部１２の内側の外周縁と、透光性保護フィルム２６の外周縁を当接させる。これにより、透光性保護フィルム２６は、その剛性によるテンションによって、半円筒形を維持しつつ、脱着可能で切欠部１２内側に固定する事ができるのである。
【００４３】
図５及び図６に示すように、本実施形態ハウジング１の把持部１３の内側には、電池３１から発光装置２に電流を供給する電源装置３を内蔵している。また、電源装置３を半円筒形の蓋３３で覆う事により、外部からは視認できないようにしている。電源装置３１には、正極端子台３４及び負極端子台３５が、各々対向して配置され、各端子台は木製ダボ３６及び固定ピン３７によってハウジング１に固定されている。また、電池３１はその電極が正極端子台３４及び負極端子台３５に挟持される事で固定され、各端子と電気的に接続されている。さらに、ハウジング１の把持部１３には、第二節部１１２に隣接してスイッチ用穴部１４が穿設されている。そして、このスイッチ用穴部１４から、電源スイッチ３２がハウジング１内部より外方に向けて突出している。ここで、正極端子台３４及び負極端子台３５は電線（図示せず）によって、電源スイッチ３２を経由して発光体２２と電気的に接続している。このような構造であるため、電源スイッチ３２をＯＮにすると、電池３１、電線、発光体２２が各々通電し、発光体２２に電流が供給される事で、発光体２２が発光する。尚、本実施例では蓋３３をハウジング１に被せた後、紐（図示せず）を巻き付ける事で、蓋３３がハウジング１から容易に外れないよう固定できる。
【００４４】
さらに、本実施形態の照明器具４は、駐車場やイベント会場で人や車を所定の方向へ誘導するための誘導灯として用いる事ができる。これにより、例えば本実施形態の誘導灯を夜間の花火会場や温泉旅館の駐車場で使用する事により、和の雰囲気を損なう事なく、人や車を誘導する事ができる。
【００４５】
さらに、本実施形態の照明器具４は、把持部１３を刀剣の柄、投光部２４を刃と見立てた刀剣を模した玩具として用いる事ができる。これにより、発光する日本刀を演出でき、チャンバラ遊びに用いる事が出来る他、演劇等のイベント用小道具として用いる事もできる。さらに、本実施形態では、把持部１３の第二節部１１２と第三節部１１３の中央に、柄糸や家紋を模造した刀剣アクセサリー１５を設ける事で、和の刀剣としての美感を向上させている。尚、前述の蓋３３とハウジング１を固定する紐は、刀剣アクセサリー１５として用いる事も可能である。
【００４６】
本実施形態の携帯型照明器具の全長は、照明としての明るさを３００〜６５０ルーメン（ｌｍ）が好ましい。特に夜間散策において、取り扱いやすさを確保するという点、車やバイクなどの走行者が遠くからでも確認できる点で、５００〜６５０ｍｍがさらに好ましい。本実施形態の全体形状は直線の棒状であるが、棒状であれば曲線であっても良い。曲線の場合は、自然竹を加熱後に曲げ加工する事によって成形する事ができる。また、ハウジング１の直径は、成人が片手で把持しやすく、かつ、発光装置２や電源装置３を内蔵可能な太さという理由で、３０〜４０ｍｍ程度が好ましい。
【００４７】
また、本実施形態の照明器具４のハウジング１の背面にマグネット（図示せず）を配置する事も可能である。これにより、照明器具４をスチール製等の磁性体からなる設備や柱に吸着固定が可能となり、固定型の照明器具として使用できる。これにより、例えば散策中に飲食を行う場合、常に照明器具を手にしている必要がなく、両手を自由に扱え、飲食が容易になる。
【００４８】
またハウジング１内の空間に、小銭等の小物を収納する事ができる。これにより、荷物入れとしも用いる事ができる。尚、仕切りを設けて専用の収納部としても良い。
【００４９】
前記電源スイッチ３２は、ボタンスイッチ、スライドスイッチ、ロッカスイッチ、トグルスイッチ等の各種スイッチが採用できるが、省スペースに形成でき、全体形状をコンパクトにできるという理由でボタンスイッチが望ましい
【００５０】
前記把持部１３は照明器具全体の長さに対して１／４〜３／４程度の長さで設ける事ができる。特に節部１１を三つ有する場合は、把持部１３が１／２程度の長さになる。また、ハウジング１は天然竹を材料としているが、部分的にＡＢＳ系樹脂、ポリエチレン、アクリル樹脂、ポリカーボネート等の樹脂や、ステンレスやアルミニウム等の金属で形成する事も可能である。
【００５１】
また、前記円筒管２３は、ポリカーボネート、アクリル樹脂の他、ガラス等を用いる事ができるが、強度と透明性を有しているポリカーボネートが最も適する。
【００５２】
尚、前記透光性保護フィルム２６は、ＰＥＴ樹脂、ＰＥ樹脂、ＰＰ樹脂等、剛性を有しつつ、可撓性のある透明材料であれば何でもよく、耐熱性とリサイクル性がよいという理由でＰＥＴ樹脂が最も適する。
【００５３】
尚、本実施形態では電池３１を内蔵しているが、電源は外部電源、内部電源どちらでも良い。内部電源（電池）の場合は、電源コードを用いる必要がなく、携帯時に電源コードを機械設備に引っ掛ける恐れがない。外部電源の場合は全体重量が軽量となり、長時間の携帯においても、使用者の負担にならない。
【００５４】
本実施形態では木製ダボ３６の代用として金属製や樹脂性のダボを用いる事もできるが、自然竹の質感を損なわないという理由で木製が好ましい。また、木製ダボ３６を木ネジ等で代用する事も可能である。
【００５５】
前記発光体２２は、有機ＥＬ，ＬＥＤ素子、蛍光灯、白熱電球等、通電により発光する発光体であれば何でも良いが、照明器具への応用を考慮すると、明るさ、発光効率、省エネルギー効率が非常に優れているＬＥＤ素子が最も適している。ＬＥＤ素子２２は、例えば赤色、黄色、青色等を用いることができるが、白色が最も好ましい。また、ＬＥＤ素子２２の場合、砲弾型、表面実装型のどちらでも良いが、コンパクトに構成できることから表面実装型の方が好ましい。尚、二色以上のＬＥＤ素子を設け、電子的制御によって発光するＬＥＤ素子を切り換えることも出来る。
【００５６】
ここで、砲弾型のＬＥＤ素子とは、リードフレームと一体化形成したカップ内にＬＥＤチップを実装し、カップ内に蛍光体を分散させた樹脂を封入して、その周りを砲弾型にエポキシ等の樹脂でモールドした構造である。砲弾型ＬＥＤの特徴は、レンズ効果によりビーム角度を狭くすることで高輝度化（高光度）が可能である（ビーム角度１０〜６０度など）。
【００５７】
また、表面実装型のＬＥＤ素子とは、セラミックや樹脂などで成型したパッケージの中にＬＥＤチップを実装し、パッケージに蛍光体を分散させたエポキシやシリコーンなどの樹脂を封入し、
反射板の構造を利用して光を取り出す構造である。また、構造上パッケージ基板のパターン設計により、１パッケージ内にＬＥＤチップを１〜２０個程度実装する事で高輝度化が可能である。
【００５８】
また、発光装置２に光の波長を調光する調光部材を設けても良い。例えば、円筒管２３を形成するポリカーボネート等の材料樹脂に、紫外線吸収剤のような調光材を配合する事で、円筒管２３が調光部材として機能する。その他、発光体２２を覆う樹脂製のキャップ部材（図示せず）を設け、このキャップ部材を構成する樹脂に紫外線吸収剤のような調光材を配合する事で、キャップ部が調光部材として機能する事も可能である。これにより、例えば夏の夜の散策中に、本照明器具を使用する場合であっても、誘虫作用がある紫外線の照射が抑制され、投光部に蚊等の害虫が集まりにくくなり、害虫に刺される等で、使用者が不快な思いをする事が抑制される。
【符号の説明】
【００５９】
１  ハウジング
１１  節部
１１１  第一節部
１１２  第二節部
１１３  第三節部
１２  切欠部
１３  把持部
１４  スイッチ用穴部
１５  刀剣アクセサリー
２  発光装置
２１  基板
２２  発光体
２２１  光源アレイ
２３  円筒管
２３１  平行リブ
２４  投光部
２５  和紙（透光性意匠部材）
２６  透光性保護フィルム
３  電源装置
３１  電池
３２  電源スイッチ
３３  蓋
３４  正極端子台
３５  負極端子台
３６  木製ダボ
３７  固定ピン
４  照明器具
【図１】
0003216033.tif 000003
【図２】
0003216033.tif 000004
【図３】
0003216033.tif 000005
【図４】
0003216033.tif 000006
【図５】
0003216033.tif 000007
【図６】
0003216033.tif 000008
【手続補正書】
【提出日】平成30年3月1日(2018.3.1)
【手続補正１】
【補正対象書類名】実用新案登録請求の範囲
【補正対象項目名】全文
【補正方法】変更
【補正の内容】
【実用新案登録請求の範囲】
【請求項１】
棒状円筒形のハウジングと、該ハウジング内部の発光装置と、前記ハウジング内部又は外部の前記発光装置に電流を供給する電源装置と、を含む携帯用照明器具であって、
前記発光装置は、電流の供給により発光する発光体と、該発光体が取り付けられる基盤と、照射する光をハウジング外に照射する投光部を含み、
前記ハウジングは側面の少なくとも一部が天然竹から構成され、該天然竹から構成される部分の一部を切り欠いた切欠部を形成し、該切欠部には前記投光部の少なくとも一部が露出している事を特徴とする携帯用照明器具。
【請求項２】
前記ハウジングの一部に自然竹の節からなる節部を含む事を特徴とする請求項１記載の携帯用照明器具。
【請求項３】
前記ハウジングは、第一節部及び第二節部からなる少なくとも２つ以上の前記節部を含み、前記投光部を第一節部及び第二節部の間に設けた事を特徴とする請求項２記載の携帯用照明器具。
【請求項４】
前記投光部が半円筒形である事を特徴とする請求項１〜３のいずれか一項に記載の携帯用照明器具。
【請求項５】
前記投光部の少なくとも一部に、透光性意匠部材を設けた事を特徴とする請求項１〜４のいずれか一項に記載の携帯用照明器具。
【請求項６】
前記透光性意匠部材が、和紙である事を特徴とする請求項５記載の携帯用照明器具。
【請求項７】
前記透光性意匠部材の外側に、透光性保護フィルムを着脱可能に巻きつけた事を特徴とする請求項５又は６に記載の携帯用照明器具。
【請求項８】
前記発光体がＬＥＤアレイである事を特徴とする請求項１〜７のいずれか一項に記載の携帯用照明器具。
【請求項９】
前記発光装置は、前記基盤を収容する円筒状または半円筒状の円筒管を含み、該円筒管は前記投光部を構成し、かつ、少なくとも投光部を構成する部分が透明又は半透明である事を特徴とする請求項１〜８のいずれか一項に記載の携帯用照明器具。
【請求項１０】
前記発光装置に、光の波長を調光する調光部材を設けた事を特徴とする請求項１〜９のいずれか一項に記載の携帯用照明器具。
【請求項１１】
請求項１〜１０のいずれか一項に記載の携帯用照明器具からなる、又は、請求項１〜１０のいずれか一項に記載の携帯用照明器具を有する事を特徴とする発光玩具。
【請求項１２】
請求項１〜１０のいずれか一項に記載の携帯用照明器具からなる、又は、請求項１〜１０のいずれか一項に記載の携帯用照明器具を有する事を特徴とする誘導灯。
【手続補正２】
【補正対象書類名】明細書
【補正対象項目名】００１２
【補正方法】変更
【補正の内容】
【００１２】
（４）
前記投光部が半円筒形である事を特徴とする（１）〜（３）のいずれか１に記載の携帯用照明器具。
【手続補正３】
【補正対象書類名】明細書
【補正対象項目名】００１３
【補正方法】変更
【補正の内容】
【００１３】
（５）
前記投光部の少なくとも一部に、透光性意匠部材を設けた事を特徴とする（１）〜（４）のいずれか１に記載の携帯用照明器具。
【手続補正４】
【補正対象書類名】明細書
【補正対象項目名】００１６
【補正方法】変更
【補正の内容】
【００１６】
（７）
前記透光性意匠部材の外側に、透光性保護フィルムを着脱可能に巻きつけた事を特徴とする（５）又は（６）に記載の携帯用照明器具。
【手続補正５】
【補正対象書類名】明細書
【補正対象項目名】００１７
【補正方法】変更
【補正の内容】
【００１７】
（８）
前記発光体がＬＥＤアレイである事を特徴とする請求項（１）〜（７）のいずれか１に記載の携帯用照明器具。
【手続補正６】
【補正対象書類名】明細書
【補正対象項目名】００１８
【補正方法】変更
【補正の内容】
【００１８】
（９）
前記発光装置は、前記基盤を収容する円筒状または半円筒状の円筒管を含み、該円筒管は前記投光部を構成し、かつ、少なくとも投光部を構成する部分が透明又は半透明である事を特徴とする（１）〜（８）のいずれか１に記載の携帯用照明器具。
【手続補正７】
【補正対象書類名】明細書
【補正対象項目名】００１９
【補正方法】変更
【補正の内容】
【００１９】
（１０）
前記発光装置に、光の波長を調光する調光部材を設けた事を特徴とする（１）〜（９）のいずれか１に記載の携帯用照明器具。
【手続補正８】
【補正対象書類名】明細書
【補正対象項目名】００２０
【補正方法】変更
【補正の内容】
【００２０】
（１１）
（１）〜（１０）のいずれか１に記載の携帯用照明器具からなる、又は、（１）〜（１０）のいずれか１に記載の携帯用照明器具を有する事を特徴とする発光玩具。
【手続補正９】
【補正対象書類名】明細書
【補正対象項目名】００２１
【補正方法】変更
【補正の内容】
【００２１】
（１２）
（１）〜（１０）のいずれか１に記載の携帯用照明器具からなる、又は、（１）〜（１０）のいずれか１に記載の携帯用照明器具を有する事を特徴とする誘導灯。